(57)【要約】  この発明に従うと、ＥＳＬとＥＳＬホルダとの組合せは、ＥＳＬを上記ＥＳＬホルダに解放可能に固定するためのロック機構と、上記ＥＳＬホルダとの協働的な係合のための少なくとも１つの把持手段が設けられるＥＳＬとを含む。突出するばね装填ロック要素が上記棚縁レールとの協働的な係合のためにＥＳＬ上に配される。ＥＳＬホルダは、棚の縁部に取り付け可能である。上記ＥＳＬホルダには、上記把持手段および上記ロック要素と協働的な係合をして受け入れるためのスロットのような１つ以上の受入手段が設けられる。ばね装填ロック要素は、ばね装填ロック要素が受入手段への把持手段の挿入の間に上記ＥＳＬホルダ上の受入手段に入り得ないように、かつ把持手段が上記受入手段においてフック位置へと移動されると、ばね装填ロック要素がばね作用により受入手段には入るように、上記把持手段に隣接して配されるとともにＥＳＬ上に位置決めされる。これにより、ばね装填ロック要素はＥＳＬホルダからＥＳＬが取外されるのを防止する。当該取外しは、ばね装填ロック要素が受入手段から引き戻されて把持手段がフック位置から離れることが可能にならない限り防止される。
2012520725.tif 000002
【特許請求の範囲】
【請求項１】
ＥＳＬ（１００）とＥＳＬホルダ（１０、４００、４１０）との組合せであって、ＥＳＬ（１００）を前記ＥＳＬホルダ（１０、４００、４１０）に解放可能に固定するためのロック機構を含み、
前記ＥＳＬホルダ（１０、４００、４１０）との協働的な係合のための少なくとも１つの把持手段（１２０）が設けられたＥＳＬ（１００）と、
第１の突出位置と第２の引戻位置との間で移動可能な、前記ＥＳＬホルダ（１０、４００、４１０）との協働的な係合のための、ＥＳＬ（１００）上のばね装填ロック要素（１６０）と、
前記把持手段（１２０）および前記ばね装填ロック要素（１６０）と協働的な係合をして受け入れるための１つ以上の受入手段（２０）が設けられたＥＳＬホルダ（１０、４００、４１０）とを含む組合せにおいて、
把持手段は、受入手段を固定的に把持するのに好適なフック状の形状を有し、前記ばね装填ロック要素（１６０）は、受入手段（２０）への把持手段（１２０）の挿入の間に前記ばね装填ロック要素（１６０）が前記ＥＳＬホルダ（１０、４００、４１０）上の受入手段（２０）に入り得ないように、かつ把持手段（１２０）が前記受入手段（２０）においてフック位置に動かされると、前記ばね装填ロック要素（１６０）がばね作用によって受入手段（２０）に入るように、ＥＳＬ（１００）上に配置および位置決めされ、これによりばね装填ロック要素（１６０）がＥＳＬホルダ（１０、４００、４１０）からのＥＳＬ（１００）の取外しを防止し、前記取外しは、前記ばね装填ロック要素（１６０）が受入手段（２０）とロック係合する突出位置から引き戻されることによって把持手段（１２０）がフック位置から離れることが可能にならない限り防止されることを特徴とする、組合せ。
【請求項２】
請求項１に記載の組合せに含まれる、ＥＳＬ（１００）をＥＳＬホルダ（１０、４００、４１０）に解放可能に固定するためのロック機構であって、
ＥＳＬ（１００）上に設けられる、ＥＳＬホルダ（１０、４００、４１０）上の受入手段（２０）との協働的な係合のための少なくとも１つの把持手段（１２０）と、
第１の突出位置と第２の引戻位置との間を移動可能であり、ＥＳＬホルダ（１０、４００、４１０）上の受入手段（２０）との協働的な係合のためにＥＳＬ（１００）上に配されるばね装填ロック要素（１６０）とを含むロック機構において、
前記把持手段（１２０）は、フック状の断面を有するとともに、ＥＳＬホルダ（１０、４００、４１０）上の前記受入手段（２０）の中にフックで掛けられるようにされ、
前記ばね装填ロック要素（１６０）は、受入手段（２０）への把持手段（１２０）の挿入の間に、前記ＥＳＬホルダ（１０、４００、４１０）に当接するとともに、ＥＳＬ（１００）の凹部の中へと内側方向に押し込まれ、ばね力に反作用を与えるように、かつ把持手段（１２０）が前記受入手段（２０）においてフック位置に位置決めされると、ばね作用によって受入手段（２０）のなかに嵌るようにＥＳＬ（１００）上に配されることを特徴とする、ロック機構。
【請求項３】
ロック機構は、ばね装填（１６０）に取付けられる磁気要素を含む、請求項２に記載のロック機構。
【請求項４】
ばね装填ロック要素（１６０）は少なくとも１つの移動可能部分を有するとともにＥＳＬ（１００）に取付けられる弾性部材（１３０、１９０）をさらに含み、磁気要素（１９５）は前記弾性部材の少なくとも１つの移動可能部分上に配置される、請求項３に記載のロック機構。
【請求項５】
弾性部材（１３０、１９０）は少なくとも１つの移動可能な自由部分を有するとともにＥＳＬ（１００）に取付けられる弾性舌部要素（１９０）であり、磁気要素は少なくとも１つの移動可能な自由部分に取付けられる、請求項４に記載のロック機構。
【請求項６】
磁気要素（１９５）は、磁界に晒されると、引戻し可能なばね装填ロック要素（１６０）をロック位置から非ロック位置まで移動させ、ＥＳＬ（１００）をＥＳＬホルダ（１０、４００、４１０）から取外すことを可能にする、請求項２〜５のいずれか１項に記載のロック機構。
【請求項７】
前記ロック機構はＥＳＬ（１００）と統合される、請求項２〜６のいずれか１項に記載のロック機構。
【請求項８】
ＥＳＬ（１００）をＥＳＬホルダ（１０、４００、４１０）に対して横方向に固定するよう、位置決め要素（１４０）がＥＳＬ（１００）上に設けられる、請求項２〜７のいずれか１項に記載のロック機構。
【請求項９】
位置決め要素（１４０）およびロック要素（１６０）は同じ要素である、請求項８に記載のロック機構。
【請求項１０】
少なくとも１つのロック機構またはＥＳＬ（１００）の少なくとも１つの突出要素を受け入れるようにされる少なくとも１つの受入要素（２０）を含む、請求項１に記載の組合せに含まれるＥＳＬホルダ（１０、４００、４１０）。
【請求項１１】
ＥＳＬホルダ（１０、４００、４１０）は、長手方向に延在するとともに、少なくとも１つの突出要素またはＥＳＬ（１００）を受け入れるようにされる棚縁レール（１０）である、請求項１０に記載のＥＳＬホルダ（１０、４００、４１０）。
【請求項１２】
前記少なくとも１つの受入要素（２０）は、ロック機構またはＥＳＬ（１００）の突出要素を受け入れるようにされる突出するフック状の要素である、請求項１０または１１に記載のＥＳＬホルダ（１０、４００、４１０）。
【請求項１３】
ＥＳＬホルダ（１０、４００、４１０）は、棚縁レール（１０）であり、前記少なくとも１つの受入要素はロック機構またはＥＳＬ（１００）の突出要素を受け入れるようにされる凹部である、請求項１０または１１に記載のＥＳＬホルダ（１０、４００、４１０）。
【請求項１４】
ＥＳＬホルダ（１０、４００、４１０）は棚縁レール（１０）であり、少なくとも１つの凹部はレールの長手方向に延在するとともに略Ｌ字型の断面を有する細長い凹部であり、当該Ｌ字の脚部は、レールの表面に対して本質的に垂直に延在し、当該Ｌ字の下部はレールの脚部に対して本質的に垂直に延在する、請求項１３に記載のＥＳＬホルダ（１０、４００、４１０）。
【請求項１５】
ＥＳＬホルダ（１０、４００、４１０）は、ＥＳＬ（１００）をＥＳＬホルダ（１０、４００、４１０）に対して横方向に固定するよう位置決め要素（１４０）を受け入れるようにされる位置決め要素スロット（４０）を含む、請求項１０〜１４のいずれか１項に記載のＥＳＬホルダ（１０、４００、４１０）。
【請求項１６】
ＥＳＬ（１００）とＥＳＬホルダ（１０、４００、４１０）との組合せであって、ＥＳＬ（１００）をＥＳＬホルダ（１０、４００、４１０）に解放可能に固定するためのロック機構を含み、
本質的に平坦なＥＳＬ（１００）取付表面を含む搭載部材と、
ＥＳＬ（１００）を前記搭載部材の前記本質的に平坦な取付表面に固定するためのロック要素（１６０）を有するＥＳＬ（１００）と、
前記搭載部材は、前記本質的に平坦なＥＳＬ（１００）取付表面に設けられる、前記ロック要素（１６０）を受け入れるための受入スロットを有し、
前記ロック要素（１６０）は、それぞれのスロットに挿入可能な第１のばね装填および引戻可能部材と、それぞれのスロットに挿入可能であるフック状の形状を有するとともに前記固定部材をフック位置に位置決め可能である第２の固定部材とを含み、前記フック位置から、前記ロック要素（１６０）は引き戻しされ得ず、
前記スロットの相対位置は、それぞれのスロットの中への固定部材の挿入の間に、引戻可能部材がそれぞれのスロットの上または下に位置し、その中に入り得ないような相対位置であり、固定部材がフック掛け位置に移動されると、前記引戻可能部材がそれぞれのスロットの中に嵌る、組合せ。
【発明の詳細な説明】
【技術分野】
【０００１】
発明の技術分野
本発明は、電子棚ラベル（electronic shelf label（ＥＳＬ））と棚縁レールとの組合せに関する。この発明は特に、ＥＳＬを棚レール縁にロックするためにロック機構を含むこのような組合せに関する。
【背景技術】
【０００２】
発明の背景
電子ラベリングシステムは、特に大きな設備において、顧客が利用可能なサービスおよび品物についての価格などといった情報を表示するために世界中で用いられている。
【０００３】
公知の電子ラベリングシステムの中には、電子棚ラベル（ＥＳＬ）と棚縁レールとを含むものがある。棚縁レールはしばしば棚に恒久的に搭載され、次いでＥＳＬが棚縁レールに取付けられる。窃盗または破壊行為によるＥＳＬの損失を避けるために、棚縁レールからＥＳＬを取り外すことを認められた人だけがＥＳＬを容易に取り外すことができることが望ましいが、今日利用可能なほとんどのシステムには、ＥＳＬが誰によってでも容易に棚縁レールから取除かれ得るという問題がある。
【発明の概要】
【課題を解決するための手段】
【０００４】
本発明の目的は、先行技術の欠点の少なくともいくつかを克服することである。この目的は、請求項１において規定されるＥＳＬおよびＥＳＬホルダの組合せによって達成される。
【０００５】
この発明に従うと、電子棚ラベル（Electronic Shelf Label （ＥＳＬ））とＥＳＬホルダとの組合せは、ＥＳＬを上記ＥＳＬホルダに解放可能に固定するためのロック機構と、上記ＥＳＬホルダとの協働的な係合のための少なくとも１つの把持手段が設けられるＥＳＬとを含む。第１の突出位置と第２の引戻位置との間を移動可能なばね装填ロック要素が、上記棚縁レールとの協働的な係合のためにＥＳＬ上に配される。ＥＳＬホルダは、棚の縁部に取付け可能である。上記ＥＳＬホルダには、上記把持手段および上記ばね装填ロック要素と協働的な係合をして受け入れるためのスロットのような１つ以上の受入手段が設けられる。ばね装填ロック要素は、ばね装填ロック要素が受入手段への把持手段の挿入の間に上記ＥＳＬホルダ上の受入手段に入り得ないように、かつ上記受入手段において、把持手段がフック位置に移動されると、ばね装填ロック要素がばね作用により受入手段に入るようにＥＳＬ上に配される。これにより、ばね装填ロック要素は、ばね装填ロック要素が受入手段から引き戻されて把持手段がフック位置から離れることを可能にしない限り、ＥＳＬがＥＳＬホルダから取外されることを防止する。
【０００６】
この発明は、窃盗または破壊行為によるＥＳＬの損失に関連する問題を克服するよう意図される。
【０００７】
本発明の別の目的は、棚縁レールに確実に取付けられる一方、特定および適当な用具が用いられた場合には非常に容易に取り外せるＥＳＬを提供することである。
【０００８】
本発明の別の目的は、棚縁レール上の特定の位置にＥＳＬをロックすることを可能にするとともに、ＥＳＬを横方向に摺動させることを認められていない人がＥＳＬを横方向に新しい位置へと移動させることを回避することである。
【０００９】
さらに別の本発明の目的は、受入部分内において棚レール縁の用いられていない部分、すなわちＥＳＬユニットによって占められている部分上に埃および他の望まれない粒子が溜まらない棚縁レールを提供することである。
【００１０】
この発明の実施例は、従属項において規定される。この発明の他の目的、利点、および新規な特徴は、添付図面および特許請求の範囲に関連して考慮すると、この発明の実施例の例の以下の詳細な説明から明らかになるであろう。
【００１１】
ここで、添付図面を参照して、この発明の好ましい実施例を説明する。
【図面の簡単な説明】
【００１２】
【図１ａ）】互いに分離されたＥＳＬおよび棚縁レールを示す図である。
【図１ｂ）】把持要素が棚縁レール上の嵌合凹部のなかに挿入され、内部の位置に移動される際のＥＳＬを示す図である。
【図２ａ）】ロック位置にあるＥＳＬを示す図である。
【図２ｂ）】ＥＳＬが棚縁レールから取外され得るように、引戻し可能なばね装填要素がＥＳＬ内の凹部に引き戻される位置にあるＥＳＬを示す図である。
【図３ａ）】１つの位置において位置決め要素と嵌合スロットとによって棚縁レールにロックされるＥＳＬを示す図である。
【図３ｂ）】別の位置において位置決め要素と嵌合スロットとによって棚縁レールにロックされるＥＳＬを示す図である。
【図３ｃ）】別の位置において位置決め要素と嵌合スロットとによって棚縁レールにロックされるＥＳＬを示す図である。
【図４】引戻し可能なばね装填要素が、別個の凹部において、ＥＳＬを棚縁レールにロックするこの発明の実施例を示す図である。
【図５ａ）】把持手段および受入手段が埃および他の粒子の堆積を最小限にするよう方向付けられているこの発明の実施例を示す図である。
【図５ｂ）】把持手段および受入手段が埃および他の粒子の堆積を最小限にするよう方向付けられているこの発明の実施例を示す図である。
【図５ｃ）】ＥＳＬの把持手段が凹部として形成され、棚縁レール上の受入手段が突出フック状の要素であるこの発明の実施例を示す図である。
【図５ｄ）】実質的に平坦な裏面を有するＥＳＬホルダを示す図である。
【図６ａ）】ＥＳＬホルダにロックされるＥＳＬを示す図である。
【図６ｂ）】自立ＥＳＬホルダの一例の側面図を示す図である。
【図６ｃ）】自立ＥＳＬホルダの正面図を示す図である。
【図６ｄ）】長手方向に延在する棚縁レールを示す図である。
【図７ａ）】板状のＥＳＬホルダに適合されるＥＳＬを示す図である。
【図７ｂ）】当該板状のＥＳＬホルダを示す図である。
【図８ａ）】板状のＥＳＬホルダに適合されるＥＳＬを示す図である。
【図８ｂ）】当該ＥＳＬを示す図である。
【図８ｃ）】単純なＥＳＬの側面図である。
【図８ｄ）】単純な板状のＥＳＬホルダの側面図を示す図である。
【図９ａ）】ロック機構に取付けられる舌部要素の側面図を示す図である。
【図９ｂ）】ロック機構に統合される舌部要素の側面図を示す図である。
【図９ｃ）】ロック機構に統合される舌部要素の上面図を示す図である。
【図９ｄ）】２つの移動可能端を有する舌部要素を示す図である。
【図９ｅ）】２つの位置でロック機構に取付けられるとともに柔軟性のある中間部分を有する舌部要素を示す図である。
【発明を実施するための形態】
【００１３】
実施例の詳細な説明
本発明のために、「電子棚ラベル（ＥＳＬ）１００」という用語は、価格、情報、または宣伝用メッセージを表示するとともに、当該メッセージを動的に更新または変更するのに用いられるディスプレイを有する電子ラベルを意味する。このラベルは典型的には、小売店における棚縁、ペグフック、箱、ハンガー、およびその他の場所上にて用いられる。
【００１４】
図１に示される本発明の一実施例において、ＥＳＬ１００とＥＳＬホルダ１０との組合せは、ＥＳＬ１００を上記ＥＳＬホルダ１０に解放可能に固定するためのロック機構と、上記ＥＳＬホルダ１０との協働的な係合のための少なくとも１つの把持手段１２０が設けられるＥＳＬ１００とを含む。突出位置と引戻位置との間で移動可能なばね装填ロック要素１６０は、上記棚縁レールとの協働的な係合のためにＥＳＬ１００上に配される。ＥＳＬホルダ１０は棚の縁部に取付可能である。上記ＥＳＬホルダ１０には、上記把持手段１２０および上記ロック要素１６０と協働的な係合をして受け入れるためのスロットのような１つ以上の受入手段２０が設けられる。ばね装填ロック要素１６０は、把持手段１２０が受入手段２０に挿入される間に、ばね装填ロック要素１６０が上記ＥＳＬホルダ１０上の受入手段２０に入り得ないように、かつ把持手段１２０がフック位置に移動されると、上記受入手段２０において、ばね装填ロック要素１６０がばね作用により受入手段２０に入るように、ＥＳＬ１００上に配置および位置決めされる。これにより、ばね装填ロック要素１６０は、ばね装填ロック要素１６０が受入手段２０から引き戻されて把持手段１２０がそのフック位置を離れるようにすることを可能にしない限り、ＥＳＬ１００がＥＳＬホルダ１０から取外されることを防止する。このように、ロック機構はそれぞれ非ロック位置およびロック位置に配置され得る。
【００１５】
ＥＳＬホルダは、この発明に係るＥＳＬ１００を受け入れるようにされた棚縁レール１０、自立ホルダ４００、板ホルダ４１０、または任意の他のホルダであり得る。
【００１６】
把持手段１２０が嵌合する受入手段２０へ挿入される間、ばね装填ロック要素１６０は、ＥＳＬ１００の中へと押し込まれ、最終的にＥＳＬ１００の中に実質的に完全に引き戻される状態へと到達し、ばねに反作用を与えて負荷を与える。把持手段１２０が受入手段２０における端部位置に到達し、凹部の中へと下方向（または図３ｃの実施例では上方向）に摺動させることによって上記受入手段２０におけるフック位置に入ると、ばね装填ロック要素１６０は、その挿入状態から解放され、受入手段２０へとばね作用により入る。これにより、ばね装填ロック要素１６０は、ばね装填ロック要素１６０が受入手段２０から引き戻されることにより把持手段１２０がフック位置からはなれることがない限り、ＥＳＬ１００が棚縁レール１０から取外されることを防止する。
【００１７】
棚縁レール１０上の受入手段２０との協働的な係合のためにＥＳＬ１００上に設けられた把持手段１２０は、棚縁レール１０上の受入手段２０を把持するために略フック形状であるのが好ましい。把持手段１２０は、受入手段２０を確実に把持するために好適な「Ｌ字形状」、より丸みを帯びたフック形状、または他の任意のフック状の形状を有してもよい。ＥＳＬ１００上に配されるばね装填ロック要素１６０は、把持手段１２０とともに棚縁レール１０上の受入手段２０と相互に作用する一方、把持手段１２０は、自身のフック状の断面により、棚縁レール１０上の受入手段２０の上にフックで掛けられるようにされ得る。
【００１８】
ＥＳＬ１００上の把持手段１２０は、ＥＳＬ１００の全裏面に沿って延在して、レッジまたはリム状の構造を形成してもよい。または、把持手段１２０は一部分のみもしくは複数の部分を覆ってもよい。フック形状の把持手段１２０は、把持手段１２０が受入手段２０に嵌るように受入手段２０上にフックで掛かるように構成されてもよい。
【００１９】
本発明の好ましい実施例では、ＥＳＬ１００はさらに、ロック機構に加えて、位置決め要素１４０を含む。位置決め要素１４０は、ＥＳＬホルダ１０、４００、４１０への取付け時には、ＥＳＬホルダ１０、４００、４１０に当接するように、ＥＳＬ１００の表面上のどこにでも配され得る。上記ＥＳＬホルダ１０、４００、４１０の嵌合面は位置決め要素スロット４０を含む。位置決め要素１４０は、ＥＳＬホルダ１０、４００、４１０に対して横方向にＥＳＬ１００を固定する。これによりＥＳＬ１００が上記ＥＳＬホルダ１０、４００、４１０上の固定位置へ入る。位置決め要素１４０は、ＥＳＬ１００の嵌合面上のどこかに配されるピンであり得る。位置決め要素スロット４０は、ＥＳＬホルダ１０、４００、４１０の嵌合面上のどこかに配される。位置決め要素１４０および位置決め要素スロット４０は、ＥＳＬ１００がＥＳＬホルダ１０、４００、４１０上に組みつけられると嵌合するようにそれぞれの嵌合面に配される。図３−図５および図７−図８には、位置決め要素１４０および位置決め要素スロットの異なる位置が示される。ＥＳＬ１００をＥＳＬホルダ１０、４００、４１０に搭載する際に位置決め要素１４０と位置決め要素スロットとが嵌合するようにされている限り、位置決め要素１４０をＥＳＬホルダ１０、４００、４１０上に配置し、位置決め要素スロット４０をＥＳＬ１００の嵌合面のどこかに配置することも可能である。さらに、ばね装填ロック要素１６０および位置決め要素１４０は同じ要素であってもよい。
【００２０】
ばね装填ロック要素１６０は、棚縁レール１０に当接するように、かつ把持要素１２０がレール上の嵌合凹部の中に挿入されて図１ｂに示される内部位置まで動かされる動作の間にＥＳＬ１００の嵌合凹部の中へと内側方向に移動されることになるように、ＥＳＬ１００の上に好適に配される。その結果、把持要素１２０が受入手段２０においてフック位置に動かされると、ばね装填ロック要素１６０は受入手段２０の中にばね作用により嵌る。これにより、ばね装填ロック要素１６０がＥＳＬ１００の凹部の中に戻るように力を受けるまでＥＳＬ１００を棚縁レール１０に確実にロックする。図２ａは、ばね装填ロック要素１６０がロック位置にあるロック機構を示す。図２ｂは、ばね装填ロック要素１６０がＥＳＬ１００の凹部の中に戻るようにされて、ＥＳＬ１００が棚縁レール１０から取外されるのを可能にする位置を示す。
【００２１】
ばね装填ロック要素１６０を引き戻すことを可能にするよう、磁気手段が設けられる。すなわち、この発明に従えば、ばね装填ロック要素１６０は、磁気的な要素であるか、または当該ロック機構は、ばね装填ロック要素１６０に取付けられる磁気要素１９５を含む。上記磁気要素１９５は強磁性の要素であってもよい。磁気要素１９５は、ばね装填ロック要素１６０が外部磁石３００によって影響を受け得るようにばね装填ロック要素１６０上に搭載される。外部磁石３００からの磁界をロック機構における磁気要素１９５に作用させることにより、ロック要素１６０はそのロック位置から非ロック位置に動かされる。これにより、図２ｂに示されるように、ＥＳＬ１００を棚縁レール１０から解放する。図２ｂは、磁石３００がばね装填ロック要素１６０上の磁気要素１９５を引き付けることを示す。
【００２２】
通常、外部磁石３００および磁気要素１９５はＮ極およびＳ極を有し、異なる極が互いに引かれ合い、同様の極が互いに反発しあう。したがって、外部磁石が図２ｂに示されるようにＥＳＬ１００に隣接して配置されると、外部磁石は磁力により、ばね装填ロック要素１６０に取付けられる磁気要素１９５を引きつけて凹部から磁気要素１９５を引き戻す。この実施例では、ばね装填ロック要素１６０は、外方向に変位し得るとともにＥＳＬ１００および棚レール縁１０の当接面に垂直な方向に引き戻される。上記ばね装填ロック要素１６０は、外部磁石３００に向かうよう引き付けられると、非ロック位置に動かされる。
【００２３】
ロック機構のロックを外す機構として磁石の反発力を用いることも可能である。ロックを外すことは、Ｎ極およびＳ極を含む磁気要素をばね装填ロック要素１６０上に配置し、外部磁石からの反発力がロック要素１６０をその凹部内へと押し戻すように磁気要素を方向付けすることによってなされる。これにより、把持手段がそのフック位置を出て、その結果ＥＳＬ１００がＥＳＬホルダから取外される。
【００２４】
ばね装填ロック要素１６０をロック位置から非ロック位置に動かすために機械的なソリューションを提供することも本発明の範囲内である。これは多くの方法でなされ得る。１つの方法は、キーまたは用具を受け入れるようにされる穴をＥＳＬ１００に配し、ＥＳＬ１００の外側からの回転または圧力によって、ばね装填ロック要素１６０をロック位置から非ロック位置に動かすことである。
【００２５】
本発明の別の実施例では、ばね装填ロック要素１６０は、把持手段１２０を受け入れる受入手段２０ではなく専用の凹部に入る。専用の凹部を形成する囲壁部は、図４ｂ−図４ｃに示されるように、棚縁レール１０内に形成および統合されるか、または図４ａに示されるように、棚縁レール１０とＥＳＬ１００上の保護要素１８０との間の協働的な係合によって形成され得る。
【００２６】
本発明の一実施例では、ばね装填ロック要素１６０は、図９ａ−図９ｅに示されるように、ＥＳＬ１００に取付けられるとともに少なくとも１つの移動可能部分を有する弾性要素１３０、１９０を含む。磁気要素１９５は上記移動可能部分上に搭載され得る。弾性要素１３０、１９０は、１つの移動可能自由端または移動可能自由部分を有するとともに、一端がＥＳＬ１００に取付けられる弾性舌部要素１９０であってもよい。弾性舌部要素１９０はさらに図９ｅに示されるように、両端にてＥＳＬ１００に取付けられ、柔軟かつ移動可能な中間部を有してもよい。上記弾性舌部要素１９０は、図９ｄに示されるように、舌部の中間部において、ＥＳＬ１００に取付けられてもよく、これにより２つの柔軟で移動可能な端を提供する。磁気要素１９５は次いで、弾性舌部要素１９０の柔軟で移動可能な部分上に配置されることになる。
【００２７】
本発明の別の実施例では、引戻し可能なばね装填ロック要素１６０が、弾性要素１３０の移動可能部分に取付けられる磁気要素１９５の移動によって直接的に影響を受ける。磁気要素１９５は、磁界に晒されると、弾性要素１３０の移動可能部分とともにロック要素１６０をロック位置から非ロック位置へ動かし、これによりＥＳＬ１００を棚縁レール１０から取外すことを可能にする。ロック機構はＥＳＬ１００上に搭載されるか、またはＥＳＬ１００に統合され得る。さらに、ロック機構のある部分がＥＳＬ１００に統合され、別の部分はロック機構の上／中に組みつけられてもよい。
【００２８】
本発明の一実施例では、棚縁レール１０は、ロック機構および／またはＥＳＬ１００の突出要素を受け入れるようにされる少なくとも１つの受入要素２０を含み、本願明細書において、後者の組合せはＥＳＬ１００として言及される。受入手段２０は、ＥＳＬ１００の突出要素を受け入れるようにされる凹部であってもよい。この凹部は、断面図では、ＥＳＬ１００の把持手段１２０を確実に保持するのに好適な「Ｌ字」形状であってもよく、丸みを帯びたフック形状、または他の任意のフック状の形状を有してもよい。棚縁レール１０上の受入手段２０はさらに、ＥＳＬ１００の突出要素を受け入れるようにされる突出フック状の要素であってもよい。受入手段２０はさらに、少なくとも１つの凹部と少なくとも１つの突出要素との組合せであってもよい。
【００２９】
図５ａ−図５ｂに示される本発明の別の実施例では、ＥＳＬ１００の把持手段１２０は、フックが上を向いているフック状である。したがって、把持手段１２０を受け入れるようにされる、棚縁レール１０上の受入手段２０は、ＥＳＬ１００を保持することができるよう形状決めされる。この実施例では、埃および他の埃状の粒子は把持手段１２０の内部に溜まらない。さらに、この把持手段１２０の掃除は容易であり、重力によって埃が把持手段１２０から出ていく場合さえある。
【００３０】
本発明の一実施例では、図５ｃを参照して、把持手段がＥＳＬ１００における凹部として形成され、棚縁レール１０上の受入手段２０が突出フック状要素である。この実施例では、ばね装填ロック要素１６０は凹部内部に配される。図５ｄは平坦な裏面を有するＥＳＬホルダ１０、４００、４１０を示す。したがって、このＥＳＬホルダ１０、４００、４１０は、たとえば接着剤のような固定手段を用いて当該ＥＳＬホルダが取付けられ得る壁、容器、厚紙箱、または任意の他の表面に直接的に取付けられ得る。
【００３１】
本発明の一実施例では、少なくとも１つの凹部は、略「Ｌ字」形状の断面を有する、棚縁レール１０の長手方向に延在する細長い凹部である。当該「Ｌ字」の脚部は、棚縁レール１０の表面に本質的に垂直に延在し、「Ｌ字」の下部は棚縁レール１０内の当該脚部に本質的に垂直に延在する。ＥＳＬ１００における当該「Ｌ字」の脚部および下部の長さおよび幅、ならびに棚レール縁１０の長さおよび幅は、ＥＳＬ１００の把持手段１２０が棚縁レール１０の受入手段２０に適合するようにされる限り、変動され得る。
【００３２】
図６ａおよび図６ｄにおいて示される本発明の一実施例では、棚縁レール１０は、ＥＳＬ１００を受け入れるようにされる２つの凹部を含む。凹部は、「Ｌ字」形状の断面を有し、ＥＳＬ１００上のフック状の把持手段１２０を受け入れるようにされる。引き戻し可能なばね装填ロック要素１６０は、ＥＳＬ１００上の把持手段１２０の１つに隣接して配され、ロックの際、棚縁レール１０の凹部に入る。
【００３３】
本発明の別の実施例では、棚縁レール１０は、部分に細分され、これにより受入手段２０は上記棚縁レール１０に沿って連続的ではなくなる。上記棚縁レール１０の各部分は、１つまたは複数のＥＳＬ１００を含むようにされてもよい。
【００３４】
本発明の別の実施例では、ＥＳＬホルダ４００は、図６ｂおよび図６ｃに示される自立ホルダ４００である。自立ホルダ４００は、受入手段２０を有するＥＳＬ１００取付表面を含む。この取付表面は、少なくとも１つの下部２５に搭載される。この下部２５は、自立ホルダ４００を支持するとともに実質的に平坦な表面上に自己支持される。自立ホルダ４００はさらに、たとえば接着される場合には、固定位置に固定されるように傾斜する表面に配置されてもよい。下部２５はさらに、ＥＳＬ１００が取付けられる自立ホルダ４００の部分に対して異なって角度付けされる場合は、壁掛けとして機能し得る。上記自立ホルダはプラスチック材料、複合材料、または金属から形成され得るがこれらの材料に限定されない。
【００３５】
図６ｄを参照して、棚レール縁１０には、特定の長さがない。上記棚レール縁１０は、長手方向に延在し、任意の長さの棚縁上にフィットするようにされ得る。棚レール縁１０の端部は、開いていてもよいし、閉じていてもよい。長手方向に延在する棚レール縁はさらに、ＥＳＬ１００の位置決め要素１４０を受け入れるようにされる位置決め要素スロット４０を含んでもよい。位置決め要素は、棚縁レール１０上の特定の位置にＥＳＬ１００を固定し、上記ＥＳＬ１００が横方向に摺動することを防止する。
【００３６】
図７ａ−図７ｂおよび図８ａ−図８ｄに示される本発明のさらに別の実施例では、ＥＳＬホルダ４１０は、少なくとも１つの受入手段２０を含む板状のホルダ４１０を含む。当該受入手段２０は、ＥＳＬ１００の把持手段１２０を受け入れるようにされる。板状のホルダ４１０は、プラスチック、複合材料、または金属材料から形成され得る。上記板状のホルダ４１０は、ＥＳＬ１００の位置決め要素１４０を受け入れるためのスロット４０を含む。これにより、上記ＥＳＬ１００が実質的に固定された位置に固定される。板状のホルダ４１０は、棚縁レール１０上に配置され得るか、または棚縁などに直接的に取付けられてもよい。板状のホルダ４１０は非常に柔軟性があり、この発明の範囲から逸脱することなく広範囲のラベリング適用例において用いられ得るということが当業者によって理解されるべきである。板状のホルダ４１０上の受入手段２０は、ＥＳＬ１００上の把持手段と嵌合するようにされることになる。板状のホルダ４１０はさらにたとえば商品のような対象に取付けられ得るか、またはたとえば固定手段を用いて壁に取付けられ得る。受入手段２０が設けられる限り、ＥＳＬ１００は実際には実質的に何にでも直接的に取り付けられ得る。したがって、ＥＳＬ１００は、受入手段が箱の上に形成されるならば、たとえば厚紙箱のような箱の上に直接的に取付けられてもよい。板状のホルダ４１０上の受入手段２０はスロットであり得る。
【００３７】
代替的な局面では、ＥＳＬ１００を上記ＥＳＬホルダ１０、４００、４１０に解放可能に固定するためのロック機構を含む、ＥＳＬ１００とＥＳＬホルダ１０、４００、４１０との組合せは、本質的に平坦なＥＳＬ１００取付表面を含む搭載部材を有する。これは、上で開示したタイプのいずれのレールまたはホルダであり得る。ＥＳＬ１００は、上記搭載部材の上記本質的に平坦な搭載表面に対してＥＳＬ１００を固定するためのロック要素１６０を有する。搭載部材は、上記ロック要素１６０を受け入れるための上記本質的に平坦なＥＳＬ１００取付表面に設けられる受入スロットを有する。さらに、ロック要素１６０は、それぞれのスロットに挿入可能である引き戻し可能な第１のばね装填部材と、第２の固定部材とを含む。第２の固定部材は、それぞれのスロットに挿入可能であるフック状の形状を有するとともに上記固定部材をフック位置に位置決めすることを可能にする。ロック要素１６０は、このフック位置からは引き戻され得ない。上記スロットの相対位置は、固定部材がそれぞれのスロットに挿入される間、上記引き戻し可能な部材が、それぞれのスロットの上または下に位置し、従ってその中に挿入可能でないような位置である。固定部材がフックオン位置へと動かされると、上記引き戻し可能部材はそれぞれのスロットに嵌る。
【００３８】
当業者ならば、反対のソリューション、すなわち、ロック機構および／または把持手段をＥＳＬホルダ１０、４００、４１０の部分とし、ＥＳＬ１００に受入手段２０を含ませることは自明な修正例であり、したがって本発明の範囲にあると考えられるということを、発明行為を行うことなく認識するであろう。
【００３９】
現在もっとも実際的かつ好ましい実施例と考えられるものに関連してこの発明を記載してきたが、この発明は開示した実施例に限定されることはないということが理解されるべきである。それどころか、添付の特許請求の範囲内におけるさまざまな修正例および均等な構成も包含することが意図される。
【図１ａ】
2012520725.tif 000003
【図１ｂ】
2012520725.tif 000004
【図２ａ】
2012520725.tif 000005
【図２ｂ】
2012520725.tif 000006
【図３ａ】
2012520725.tif 000007
【図３ｂ】
2012520725.tif 000008
【図３ｃ】
2012520725.tif 000009
【図４ａ】
2012520725.tif 000010
【図４ｂ】
2012520725.tif 000011
【図４ｃ】
2012520725.tif 000012
【図５ａ】
2012520725.tif 000013
【図５ｂ】
2012520725.tif 000014
【図５ｃ】
2012520725.tif 000015
【図５ｄ】
2012520725.tif 000016
【図６ａ】
2012520725.tif 000017
【図６ｂ】
2012520725.tif 000018
【図６ｃ】
2012520725.tif 000019
【図６ｄ】
2012520725.tif 000020
【図７ａ】
2012520725.tif 000021
【図７ｂ】
2012520725.tif 000022
【図８ａ】
2012520725.tif 000023
【図８ｂ】
2012520725.tif 000024
【図８ｃ】
2012520725.tif 000025
【図８ｄ】
2012520725.tif 000026
【図９ａ】
2012520725.tif 000027
【図９ｂ】
2012520725.tif 000028
【図９ｃ】
2012520725.tif 000029
【図９ｄ】
2012520725.tif 000030
【図９ｅ】
2012520725.tif 000031
【国際調査報告】
2012520725.tif 000032
2012520725.tif 000033
2012520725.tif 000034